Podtech/llm-jp-corpus-v4-ja_patent huggingface dataset:
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
有効量のプラスミノーゲンを含む、被験者の皮膚疾患による皮膚コラーゲンの沈着または繊維化を予防または治療するための薬物組成物。
【請求項２】
前記疾患は、皮膚の慢性自己免疫性疾患である、請求項１に記載の薬物組成物。
【請求項３】
前記疾患は、強皮症、全身性エリテマトーデス、ざ瘡、湿疹、および、乾癬を含む、請求項２に記載の薬物組成物。
【請求項４】
前記疾患は皮膚の慢性炎症である、請求項１に記載の薬物組成物。
【請求項５】
皮膚線維化が、被験者の自己免疫反応により引き起こされる、請求項１に記載の薬物組成物。
【請求項６】
皮膚線維化が、被験者の皮膚損傷により引き起こされる、請求項１に記載の薬物組成物。
【請求項７】
前記皮膚損傷は、皮膚外傷、手術切創、または化学物質損傷である、請求項６に記載の薬物組成物。
【請求項８】
皮膚線維化が、アレルギー性皮膚繊維化または被検者の自己免疫反応により引き起こされる皮膚線維化である、請求項１に記載の薬物組成物。
【請求項９】
前記被験者はケロイド体質である、請求項８に記載の薬物組成物。
【請求項１０】
前記薬物組成物を皮膚局所に投与する、請求項１〜９のいずれか１項に記載の薬物組成物。
【請求項１１】
前記薬物組成物は１種以上の薬物、スキンケア用品および／または化粧品と組み合わせて投与する、請求項１〜１０のいずれか１項に記載の薬物組成物。
【請求項１２】
前記プラスミノーゲンは配列２と少なくとも７５％、８０％、８５％、９０％、９５％、９６％、９７％、９８％または９９％の配列同一性を有し、且つ依然プラスミノーゲン活性を有するものである、請求項１〜１１のいずれか１項に記載の薬物組成物。
【請求項１３】
前記プラスミノーゲンは配列１４に示されるプラスミノーゲン活性フラグメントを含有し、且つ依然プラスミノーゲン活性を有するタンパク質である、請求項１〜１２のいずれか１項に記載の薬物組成物。
【請求項１４】
前記プラスミノーゲンは、Ｇｌｕ−プラスミノーゲン、Ｌｙｓ−プラスミノーゲン、ミニプラスミノーゲン、マイクロプラスミノーゲン、δ−プラスミノーゲンまたはそれらのプラスミノーゲン活性を保持した変異体である、請求項１〜１２のいずれか１項に記載の薬物組成物。
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
有効量のプラスミノーゲンを含む、糖尿病の対象における血糖を降下させることにより糖尿病を治療することにおける使用のための薬学的組成物。
【請求項２】
前記血糖は、血清ブドウ糖レベルと、血清フルクトサミンレベルと、血清糖化ヘモグロビンレベルのうちの一つ以上から選択される、請求項１に記載の使用のための薬学的組成物。
【請求項３】
前記血糖は血清ブドウ糖レベルである、請求項２に記載の使用のための薬学的組成物。
【請求項４】
前記糖尿病はＴ１ＤＭまたはＴ２ＤＭである、請求項１〜３のいずれか１項に記載の使用のための薬学的組成物。
【請求項５】
前記糖尿病の対象における糖の耐量を改善させることにおける使用のための、請求項１〜４のいずれか１項に記載の使用のための薬学的組成物。
【請求項６】
前記糖尿病の対象における食後の血糖降下を促進することにおける使用のための、請求項１〜５のいずれか１項に記載の使用のための薬学的組成物。
【請求項７】
前記プラスミノーゲンが前記対象の食前３０分間から１．５時間までの間に投与される、請求項６に記載の使用のための薬学的組成物。
【請求項８】
前記糖尿病の対象におけるブドウ糖利用またはインスリン分泌を促進することにおける使用のための、請求項１〜５のいずれか１項に記載の使用のための薬学的組成物。
【請求項９】
血糖が上昇した状態の前記糖尿病の対象におけるグルカゴンの発現及び／または分泌を低下させることにより血糖を正常または正常に近いレベルに戻すことにおける使用のための、請求項１〜８のいずれか１項に記載の使用のための薬学的組成物。
【請求項１０】
前記プラスミノーゲンは、前記対象におけるグルカゴンの発現及び／または分泌を低下させるとともに、インスリンの発現及び／または分泌を促進する、請求項１〜９のいずれか１項に記載の使用のための薬学的組成物。
【請求項１１】
前記プラスミノーゲンは、インスリン受容体基質２（ＩＲＳ−２）及び／または多方向核転写因子ＮＦ−ｋＢの発現を促進する、請求項１〜１０のいずれか１項に記載の使用のための薬学的組成物。
【請求項１２】
膵島の炎症の修復を促進することにおける使用のための、請求項１〜１１のいずれか１項に記載の使用のための薬学的組成物。
【請求項１３】
前記プラスミノーゲンは、膵島の繊維化を軽減する、または膵島細胞のアポトーシスを抑制する、請求項１２に記載の使用のための薬学的組成物。
【請求項１４】
前記プラスミノーゲンは、一種以上のその他の薬物または治療方法との組合せで投与される、請求項１〜１３のいずれか１項に記載の使用のための薬学的組成物。
【請求項１５】
前記プラスミノーゲンは配列番号２と少なくとも７５％、８０％、８５％、９０％、９５％、９６％、９７％、９８％または９９％の配列同一性を有し、且つ依然プラスミノーゲン活性を有するものであるか、
前記プラスミノーゲンは配列番号１４で示されるプラスミノーゲン活性断片を含むタンパク質であり、且つ依然プラスミノーゲン活性を有するものであるか、または、
前記プラスミノーゲンはＧｌｕ−プラスミノーゲン、Ｌｙｓ−プラスミノーゲン、ミニ−プラスミノーゲン、マイクロ−プラスミノーゲン、デルタ−プラスミノーゲン、若しくはプラスミノーゲン活性を保持するそれらのバリアントから選択されるものである、
請求項１〜１４のいずれか１項に記載の使用のための薬学的組成物。
【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
少なくとも、補強用充填剤、架橋系、可塑化系およびエラストマーマトリックスをベースとするゴム組成物であって、
前記エラストマーマトリックスが、その構造内に少なくとも１個のアルコキシシラン基を含む少なくとも１種の変性ジエンエラストマーを含み、
前記アルコキシシラン基が、部分的にまたは完全にシラノールに加水分解されて、ケイ素原子によってエラストマーに結合されていてもよく、直接またはスペーサー基によってケイ素原子に結合された別の官能基を担持していてもよい基であり、
前記変性ジエンエラストマーが、変性前のジエンエラストマーの多分散指数が少なくとも１.1かつ最大1.6であり、50〜80の範囲のムーニー粘度および厳密に−50℃未満、好ましくは−60℃以下、かつ−110℃以上のガラス転移温度(Tg)を有するようなものである、前記ゴム組成物。
【請求項２】
前記変性ジエンエラストマーにおいて、前記アルコキシシラン基が、飽和もしくは不飽和の、環式もしくは非環式の、直鎖もしくは分枝鎖の、二価のC1-C18脂肪族炭化水素ベースの基、または二価のC6-C18芳香族炭化水素ベースの基として定義されるスペーサー基によってケイ素原子に結合された別の官能基を担持し、前記スペーサー基が１個以上の芳香族基および/または１個以上のヘテロ原子を含有していてもよいことを特徴とする、請求項１記載の組成物。
【請求項３】
前記ジエンエラストマーが、前記変性ジエンエラストマーの総質量に対して少なくとも70質量%の官能化直鎖ジエンエラストマーを含むことを特徴とする、請求項１又は２記載の組成物。
【請求項４】
前記官能化直鎖ジエンエラストマーが、部分的にまたは完全にシラノールに加水分解されていてもよいアルコキシシラン基によって鎖の中央で主に官能化され、ケイ素原子がジエンエラストマーの２つの分枝を結合している、請求項３記載の組成物。
【請求項５】
前記変性ジエンエラストマーが、前記変性ジエンエラストマーの総質量に対して最大30質量%の、スズまたはケイ素で星型分枝されたジエンエラストマーを含むことを特徴とする、請求項１〜４のいずれか１項記載の組成物。
【請求項６】
別の官能基が、保護されたもしくは保護されていない第一級アミン官能基、保護されたもしくは保護されていない第二級アミン官能基、または第三級アミン官能基(環式かもしくは非環式である)、またはイソシアネート官能基、イミン官能基、シアノ官能基、保護されたもしくは保護されていないチオール官能基、カルボキシレート官能基、エポキシド官能基、保護されたもしくは保護されていない第一級もしくは第二級ホスフィン官能基、または第三級ホスフィン官能基であることを特徴とする、請求項１〜５のいずれか１項記載の組成物。
【請求項７】
前記変性ジエンエラストマーが、下記の特徴の少なくともいずれか１つ、少なくとも２つ、少なくとも３つ、少なくとも４つ、または少なくとも５つ、好ましくは下記の特徴の全てを有することを特徴とする、請求項１〜６のいずれか１項記載の組成物：
−前記変性ジエンエラストマーが、前記変性ジエンエラストマーの総質量に対して少なくとも70質量%、好ましくは少なくとも75質量%の、主に鎖の中央で官能化された直鎖ジエンエラストマーを含む、
−前記変性ジエンエラストマーが、前記変性ジエンエラストマーの総質量に対して、最大30%、好ましくは最大25%の、別の官能基を担持するケイ素原子を含む基によって３つの分枝で星型分枝した化学種を含む、
−別の官能基が、第三級アミン基、より具体的にはジエチルアミノ基またはジメチルアミノ基である、
−別の官能基が、直鎖脂肪族炭化水素ベースの基、さらにより好ましくはC2またはC3直鎖脂肪族炭化水素ベースの基として定義されるスペーサー基によってケイ素原子に結合している、
−前記アルコキシシラン基が、部分的にまたは完全にシラノールに加水分解されていてもよい、メトキシシランまたはエトキシシランである、
−前記ジエンエラストマーが、ブタジエンポリマー、より具体的にはブタジエンホモポリマーまたはブタジエン/スチレンコポリマーである。
【請求項８】
前記変性ジエンエラストマーが、下記の特徴を有することを特徴とする、請求項７記載の組成物：
−前記アルコキシシラン基が、第三級アミン官能基、より具体的にはジエチルアミノ基またはジメチルアミノ基を担持する、
−前記星型ジエンエラストマーが、第三級アミン官能基、より具体的にはジエチルアミノ基またはジメチルアミノ基を担持するケイ素原子を含む、
−前記スペーサー基が、C3直鎖炭化水素ベースの基である、
−前記アルコキシシラン基が、部分的または完全にシラノールに加水分解されていてもよい、メトキシシランまたはエトキシシランである、
−前記ジエンエラストマーが、ブタジエン/スチレンコポリマーである、
−前記変性ジエンエラストマーが、前記ジエンエラストマーの総質量に対して少なくとも75質量%の、主に鎖の中央で官能化された直鎖ジエンエラストマーと、最大25質量%の星型分枝鎖ジエンエラストマーとを含む。
【請求項９】
請求項１〜８のいずれか１項記載の架橋可能なまたは架橋したゴム組成物を含むことを特徴とする、タイヤ用の半仕上げゴム物品。
【請求項１０】
請求項９記載の半仕上げ物品を含むことを特徴とする、タイヤ。
【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
固体表面材であって、
（ｉ）４５〜８０体積分率パーセントの量で存在する架橋アクリル樹脂または不飽和ポリエステル樹脂と、
（ｉｉ）２５〜５５体積分率パーセントの、前記固体表面材にわたって均一に分布された無機充填材粒子であって、
（ａ）前記充填材粒子の９５〜９９体積分率パーセントは、０．５〜１０ミクロン以下の範囲の主要寸法を有し、
（ｂ）前記充填材粒子のＤ５０は、０．５〜２．５ミクロンであり、
（ｃ）前記充填材粒子のＤ９０は、１０ミクロン以下であり、および
（ｄ）前記充填材粒子は、前記充填材粒子に結合または接着されている別個の官能性粒子で改質されている、無機充填材粒子と
を含む固体表面材。
【請求項２】
充填材タイプは、アルミナ三水和物、アルミナ、シリカ、タルクまたは石英である、請求項１に記載の表面材。
【手続補正２】
【補正対象書類名】明細書
【補正対象項目名】００４９
【補正方法】変更
【補正の内容】
【００４９】
【表１】
2020502315.tif 000001
* 引っかき傷認知は、視覚コントラスト(すなわち、引っかかれていない表面の平均階調レベルおよび引っかき傷の中心の差)と、引っかき傷幅の平方根との積である。改善は、引っかき傷認知を低下させることによって実現される。
** 引っかき硬度は、ASTM G171-03(2009)に記載されている方法によって計算される。改善は、引っかき硬度を増加させることによって実現される。
本発明のまた別の態様は、以下のとおりであってもよい。
〔１〕固体表面材であって、
（ｉ）５２体積分率パーセント以下の量で存在する架橋アクリル樹脂または不飽和ポリエステル樹脂と、
（ｉｉ）４８体積分率パーセント以下の、前記固体表面材にわたって均一に分布された無機充填材粒子であって、
（ａ）前記充填材粒子の９５〜９９体積分率パーセントは、０．５〜１０ミクロン以下、または１〜５ミクロン以下、または１〜２ミクロン以下の範囲の主要寸法を有し、
（ｂ）前記充填材粒子のＤ５０は、０．５〜２．５ミクロンであり、
（ｃ）前記充填材粒子のＤ９０は、１０ミクロン以下であり、および
（ｄ）前記充填材粒子は、前記充填材粒子に結合または接着されている別個の官能性粒子で改質されている、無機充填材粒子と
を含む固体表面材。
〔２〕固体表面材であって、
（ｉｉｉ）５１体積分率パーセント以下の量で存在する架橋アクリル樹脂または不飽和ポリエステル樹脂と、
（ｉｖ）４９体積分率パーセント以下の、前記固体表面材にわたって均一に分布された無機充填材粒子であって、
（ｅ）前記充填材粒子の９５〜９９体積分率パーセントは、０．５〜１０ミクロン以下、または１〜５ミクロン以下、または１〜２ミクロン以下の範囲の主要寸法を有し、
（ｆ）前記充填材粒子のＤ５０は、０．５〜２．５ミクロンであり、
（ｇ）前記充填材粒子のＤ９０は、１０ミクロン以下であり、および
（ｈ）前記充填材粒子は、前記充填材粒子に結合または接着されている別個の官能性粒子で改質されている、無機充填材粒子と
を含む固体表面材。
〔３〕充填材タイプは、アルミナ三水和物、アルミナ、シリカ、タルクまたは石英である、前記〔１〕または〔２〕に記載の表面材。
〔４〕前記有機ポリマー構成要素は、前記樹脂と共重合し、かつ充填材表面に結合するカップリング剤コモノマーを含む、前記〔１〕または〔２〕に記載の表面材。
〔５〕顔料および／または可視微粒子などの装飾構成要素をさらに含む、前記〔１〕または〔２〕に記載の表面材。
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
画像分類ニューラルネットワークをトレーニングする方法であって、
観察者の脳から神経生理学的信号を収集しながら、前記観察者に第１の複数の画像を視覚刺激として提示するステップと、
前記神経生理学的信号を処理して、前記第１の複数の画像のうちの少なくとも１つの画像における前記観察者によるターゲットの検出を示す神経生理学的事象を識別するステップと、
前記神経生理学的事象の前記識別に基づいて画像内の前記ターゲットを識別するように前記画像分類ニューラルネットワークをトレーニングするステップと、
前記トレーニング済み画像分類ニューラルネットワークをコンピュータ可読記憶媒体に記憶するステップと、
を備えた、前記方法。
【請求項２】
前記トレーニング済み画像分類ニューラルネットワークを第２の複数の画像に適用して、そのうちで前記ターゲットによって占められていると疑われる候補画像を検出するステップであり、前記第２の複数の画像が前記第１の複数の画像の少なくとも１つの画像を含んでいる、該検出するステップと、
前記第２の複数の画像を再定義するステップであり、前記再定義済み第２の複数の画像のうちの少なくとも１つの画像が、前記トレーニング済み画像分類ニューラルネットワークによって検出された候補画像である、該再定義するステップと、
前記再定義済み第１の複数の画像のうちの少なくとも１つの画像について、前記提示と、前記神経生理学的信号の前記収集及び処理と、前記トレーニングとを繰り返すことによって、前記画像分類ニューラルネットワークを反復的にトレーニングするステップと、
を更に備えた、請求項１に記載の方法。
【請求項３】
教師なしクラスタリングを前記第２の複数の画像に適用するステップと、前記教師なしクラスタリングに基づく前記第２の複数の画像から前記第１の複数の画像を選択するステップと、を更に備えた請求項２に記載の方法。
【請求項４】
前記第２の複数の画像から第１の複数の画像をランダムに選択するステップを備えた、請求項２に記載の方法。
【請求項５】
前記ターゲットを含む基準画像を受信するステップと、前記基準画像に応じて前記第２の複数の画像から第１の複数の画像を選択するステップと、を備えた、請求項２に記載の方法。
【請求項６】
前記画像分類ニューラルネットワークが、前記神経生理学的信号を受信して処理するように構成された第１のニューラルサブネットワークと、前記第２の複数の画像を受信して処理するように構成された第２のニューラルサブネットワークと、前記第１のニューラルサブネットワーク及び前記第２のニューラルサブネットワークの両方からの出力を受信して組み合わせるニューラルネットワーク層を有する共有サブネットワークと、を備えている、請求項２〜５のいずれか一項に記載の方法。
【請求項７】
前記画像分類ニューラルネットワークが畳み込みニューラルネットワークであり、前記第１及び前記第２のニューラルサブネットワークの少なくとも一方が畳み込みニューラルサブネットワークである、請求項６に記載の方法。
【請求項８】
前記画像分類ニューラルネットワークが、第１のスコアを出力する前記第１のニューラルサブネットワーク用の第１の個別出力層と、第２のスコアを出力する前記第２のニューラルサブネットワーク用の第２の個別出力層と、を備えており、前記方法が、前記第１のスコアと前記第２のスコアとを組み合わせて組み合わせ済みスコアにするステップと、前記組み合わせ済みスコアで前記画像をラベル付けするステップと、前記トレーニングの少なくとも１回の反復において前記ラベル付けのラベルを使用するステップと、を備えている、請求項６及び７のいずれか一項に記載の方法。
【請求項９】
前記神経生理学的信号を用いて前記神経生理学的事象にスコアを付けるステップを更に備えており、前記トレーニングが少なくとも部分的に前記スコアに基づいている、請求項１〜８のいずれか一項に記載の方法。
【請求項１０】
前記スコアを使用して、前記観察者によって観察される画像内のオブジェクトと前記ターゲットとの類似性のレベルを判定するステップを更に備えた、請求項９に記載の方法。
【請求項１１】
前記第１の複数の画像の前記提示の前に、前記ターゲットを表す刺激を前記観察者に提示するステップを更に備えており、前記刺激が、視覚刺激と、テキスト刺激と、聴覚刺激と、嗅覚刺激とで構成される群から選択される少なくとも１つの刺激を含んでいる、請求項１〜９のいずれか一項に記載の方法。
【請求項１２】
前記第１の複数の画像の前記提示の前に、前記ターゲットに対して補完的である刺激を前記観察者に提示するステップを更に備えており、前記刺激が、視覚刺激と、テキスト刺激と、聴覚刺激と、嗅覚刺激とで構成される群から選択される少なくとも１つの刺激を含んでいる、請求項１〜９のいずれか一項に記載の方法。
【請求項１３】
画像分類ニューラルネットワークをトレーニングするためのシステムであって、
観察者の脳から神経生理学的信号を収集するように構成された神経生理学的信号収集システムと、
前記神経生理学的信号収集システムと通信し、請求項１〜１２のいずれか一項に記載の方法を実行するように構成されたデータプロセッサと、
を備えた前記システム。
【請求項１４】
画像を分類する方法であって、
請求項１〜１２のいずれか一項に記載の方法を実行して画像分類ニューラルネットワークをトレーニングするステップと、
前記トレーニング済み画像分類ニューラルネットワークを前記画像に適用して、前記トレーニング済み画像分類ニューラルネットワークの出力層によって生成されたスコアに基づいて、前記画像内における前記ターゲットの存在を判定するステップと、
を備えた前記方法。
【請求項１５】
画像を分類する方法であって、
請求項１〜１２のいずれか一項に記載の方法を前記画像に適用するステップと、
前記トレーニング済み画像分類ニューラルネットワークを前記画像に適用して、前記画像がターゲットによって占められていると疑われるか否かを判定するステップと、
観察者の脳から神経生理学的信号を収集しながら、前記画像を前記観察者に視覚刺激として提示するステップと、
前記神経生理学的事象の前記識別に、少なくとも部分的に、基づいて、前記画像内における前記ターゲットの存在を判定するステップと、
を備えた前記方法。
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
サービス要求を処理するためのコンピュータで実行される方法であって、前記コンピュータで実行される方法は、
1つまたは複数のプロセッサによって、クライアントから電子資格証明書取得要求を受信するステップであって、前記電子資格証明書取得要求が、ユーザ識別子を含むステップと、
前記1つまたは複数のプロセッサによって、前記ユーザ識別子に対応する電子資格証明書を受信するステップと、
前記1つまたは複数のプロセッサによって、サーバ署名情報を生成するステップであって、前記サーバ署名情報が、前記電子資格証明書、および前記クライアントのユーザ公開鍵を含み、前記電子資格証明書および前記ユーザ公開鍵が、所定の期間内にサーバ秘密鍵を使用して署名される、ステップと、
前記1つまたは複数のプロセッサによって、前記サーバ署名情報を前記クライアントに送信するステップであって、前記クライアントが、前記所定の期間内に前記サーバ署名情報を暗号により検証するとともに、前記電子資格証明書に基づいて二次元バーコードを生成するように構成され、前記二次元バーコードに含まれる前記電子資格証明書が、資格証明書検証デバイスによって、検証されるように構成され、前記資格証明書検証デバイスが、前記ユーザ識別子に基づいて、前記電子資格証明書を生成するように構成される、ステップとを含む、
コンピュータで実行される方法。
【請求項２】
前記サーバ秘密鍵を使用して前記電子資格証明書に署名することが、
ユーザ署名鍵を前記電子資格証明書に割り当てるとともに、前記サーバ秘密鍵を使用することによって、前記電子資格証明書および第1のユーザ公開鍵に署名することであって、前記ユーザ署名鍵が、前記第1のユーザ公開鍵を含む、こと、または、
クライアントソフトウェアによって送信された第2のユーザ公開鍵を取得するとともに、前記サーバ秘密鍵を使用することによって、前記電子資格証明書および前記第2のユーザ公開鍵に署名することを含む、
請求項１に記載のコンピュータで実行される方法。
【請求項３】
前記ユーザ署名鍵が、非対称鍵である、
請求項２に記載のコンピュータで実行される方法。
【請求項４】
前記第1のユーザ公開鍵が、前記サーバ秘密鍵を使用することによって署名され、
前記サーバ署名情報および前記電子資格証明書を前記クライアントソフトウェアに送信することが、
前記割り当てられたユーザ署名鍵、前記サーバ署名情報、および前記電子資格証明書を、前記クライアントソフトウェアに送信することを含む
請求項２に記載のコンピュータで実行される方法。
【請求項５】
前記ユーザ識別子に対応する前記電子資格証明書を取得する前に、前記方法は、
前記電子資格証明書取得要求を構文解析するステップと、
前記電子資格証明書取得要求内に含まれるサービス有効時間を取得するステップと、
前記サービス有効時間がサービス仕様に準拠しているかどうかを検証するステップとをさらに含む、
請求項１に記載のコンピュータで実行される方法。
【請求項６】
前記ユーザ識別子に対応する前記電子資格証明書を取得することが、
前記サービス有効時間が前記サービス仕様に準拠しているかどうかを判定することと、
前記サービス有効時間が前記サービス仕様に準拠しているとの判定に応答して、前記ユーザ識別子に対応する前記電子資格証明書を取得することとを含む、
請求項５に記載のコンピュータで実行される方法。
【請求項７】
前記ユーザ識別子に対応する前記電子資格証明書を取得することが、
前記資格証明書検証デバイスによって同期された前記電子資格証明書を受信すること、または、
電子資格証明書を取得するために、前記ユーザ識別子に基づいて前記資格証明書検証デバイスに、前記電子資格証明書を取得するための要求情報を送信することを含む、
請求項６に記載のコンピュータで実行される方法。
【請求項８】
前記方法は、
前記サーバ秘密鍵に対応する公開鍵をブロードキャストするステップであって、クライアントソフトウェアおよび前記資格証明書検証デバイスが、サーバ公開鍵に基づいて前記サーバ署名情報を検証するステップとをさらに含む、
請求項６に記載のコンピュータで実行される方法。
【請求項９】
前記二次元バーコードが、以下の動作を実行することによって生成され、前記動作が、
所定のセキュリティ情報の有効期間を設定することと、
前記所定のセキュリティ情報、クライアントソフトウェア署名情報、前記サーバ署名情報、前記電子資格証明書、前記ユーザ公開鍵、前記所定のセキュリティ情報の前記有効期間、および前記ユーザ識別子に基づいて、前記二次元バーコードを生成することとを含む、
請求項１に記載のコンピュータで実行される方法。
【請求項１０】
前記ユーザ識別子に基づいて、前記電子資格証明書をサーバに同期させるステップであって、前記サーバが前記電子資格証明書をクライアントソフトウェアに送信するステップをさらに含む
請求項１に記載のコンピュータで実行される方法。
【請求項１１】
所定のセキュリティ情報の有効期間が、前記電子資格証明書のタイプに基づく、
請求項１に記載のコンピュータで実行される方法。
【請求項１２】
前記電子資格証明書が、航空券、バスチケット、列車チケット、コンサートチケット、銀行カード、アクセス制御カード、パーク入場チケット、身分証明書、マーチャントクーポン、会員証、運転免許証、運転免許証アクセス制御カード、またはバスカードを含む、
請求項１に記載のコンピュータで実行される方法。
【請求項１３】
前記電子資格証明書および前記ユーザ公開鍵を署名することが、
ハッシュ値を得るためにハッシュアルゴリズムを使用することによって、前記ユーザ公開鍵および前記電子資格証明書に対してハッシュ演算を実行することと、
前記サーバ署名情報を取得するために、前記サーバ秘密鍵を使用することによって、前記ハッシュ値に署名することとを含む、
請求項１に記載のコンピュータで実行される方法。
【請求項１４】
二次元バーコードを処理するシステムであって、前記システムが、請求項１〜１３のいずれか一項に記載のコンピュータで実行される方法を実行するように構成された複数のモジュールを含む、
システム。
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
植物源からのカンナビノイドの抽出方法であって、前記方法が：
（ａ）第１の量のカンナビノイド含有植物源と第１の量の抽出培地を含む第１の混合物を得るステップであって、前記抽出培地が少なくとも１つの油と、少なくとも１つの親水性界面活性剤と、少なくとも１つの共界面活性剤を含むステップと；
（ｂ）前記第１の混合物を均質化するステップと；
（ｃ）前記均質化した第１の混合物をバイオマススラリーとカンナビノイド添加培地とに分離するステップと；
を備えることを特徴とする方法。
【請求項２】
請求項１に記載の方法において、前記カンナビノイドがカンナビジオール（ＣＢＤ）であり、前記カンナビノイド添加培地が約０．１乃至１２重量％のＣＢＤを含むことを特徴とする方法。
【請求項３】
請求項１に記載の方法において、前記植物源が少なくともＣＢＤと、テトラヒドロカンナビノール（ＴＨＣ）を含み、使用済みバイオマスがＴＨＣに富んでおり、前記ＣＢＤ添加培地が最大で３重量％のＴＨＣを含むことを特徴とする方法。
【請求項４】
請求項１に記載の方法において、前記ステップ（ｂ）の均質化が、
（ｉ）約１分乃至６０分の間にわたって行われること；
（ｉｉ）約５００乃至５０００ｐｓｉの圧力で行われること；および
（ｉｉｉ）約５乃至７０℃の温度で行われること
の少なくとも１つによって特徴付けられることを特徴とする方法。
【請求項５】
請求項１に記載の方法において、前記ステップ（ａ）の前に、前記植物源を加熱するステップをさらに備えることを特徴とする方法。
【請求項６】
請求項１に記載の方法において、前記植物源と前記第１の量の抽出培地との重量比（ｗｔ／ｗｔ）が１：５乃至１：１００であることを特徴とする方法。
【請求項７】
請求項１に記載の方法が：
（Ｉ）以下のステップ：
（ｄ）前記バイオマススラリーを第２の量の抽出培地と混合して第２の混合物を得るステップと；
（ｅ）前記第２の混合物を均質化するステップと；
（ｆ）前記第２の混合物を、バイオマススラリーとカンナビノイド添加培地とに分離するステップと；または
（ＩＩ）以下のステップ：
（ｄ’）前記カンナビノイド添加培地を第２の量の植物源と混合して第２の混合物を得るステップと；
（ｅ’）前記第２の混合物を均質化するステップと；
（ｆ’）前記第２の混合物をバイオマススラリーと高ＣＢＤカンナビノイド添加培地とに分離するステップと；
をさらに備えることを特徴とする方法。
【請求項８】
請求項１に記載の方法において、
（ｉ）前記少なくとも１つの油が、精油、Ｄ−リモネン、鉱油、パラフィン系油、リン脂質、極性脂質、スクアレン、スピンゴメリン、ワックス、植物油、グリセリド、トリグリセリド、脂肪酸および脂肪酸エステル、ならびに液体炭化水素から選択され；
（ｉｉ）前記少なくとも１つの油が、約０．５乃至２０重量％の間の量で抽出培地中に存在する；
（ｉｉｉ）前記少なくとも１つの親水性界面活性剤が、ソルトールＨＳ１５、ポリオキシエチレンソルビタンモノラウレート、ポリオキシエチレンソルビタンモノパルミテート、ポリオキシエチレンソルビタンモノオレエート、および飽和および不飽和ヒマシ油のポリオキシエチレンエステル、パルミトステアリン酸、エトキシル化モングリセロールエステル、エトキシル化脂肪酸、短鎖、中鎖および長鎖エトキシル化脂肪酸から選択され：
（ｉｖ）前記少なくとも１つの親水性界面活性剤が、約３０乃至８５重量％の量で抽出培地中に存在する；
（ｖ）前記少なくとも１つの共界面活性剤が、ポリプロピレングリコール、ポリエチレングリコール、ソルビトール、キシリトール、ＰＥＧ２００、ＰＥＧ４００およびＰＥＧ６００から選択され；ならびに
（ｖｉ）前記少なくとも１つの共界面活性剤が、約１乃至５０重量％の量で抽出培地中に存在する；
の少なくとも１つによって特徴付けられることを特徴とする方法。
【請求項９】
請求項１に記載の方法において、前記抽出培地が、少なくとも１つのリン脂質を約１乃至１０重量％の量でさらに含むことを特徴とする方法。
【請求項１０】
請求項１に記載の方法において、前記抽出培地が、少なくとも１つの溶媒を約０．１乃至２５重量％の量でさらに含むことを特徴とする方法。
【請求項１１】
カンナビノイド含有植物源からカンナビノイドを選択的に抽出するための抽出培地であって、少なくとも１つの油、少なくとも１つの親水性界面活性剤、および少なくとも１つの共界面活性剤を含み、前記抽出培地が選択的に、少なくとも１つのリン脂質、少なくとも１つの溶媒、および／または、少なくとも１つの共溶媒をさらに含み、前記カンナビノイドが、カンナビジオール（ＣＢＤ）であることを特徴とする抽出培地。
【請求項１２】
請求項１乃至１０のいずれか１項に記載の方法によって得られるカンナビノイド添加培地。
【請求項１３】
請求項１２に記載のカンナビノイド添加培地を含む食品、栄養補助食品、または栄養補助食品組成物。
【請求項１４】
請求項１２に記載のカンナビノイド添加培地を含む医薬組成物。
【請求項１５】
請求項１４に記載の医薬組成物において、カンナビノイドを局所的に、経口的に、吸入により、経鼻的に、経皮的に、眼内に、または非経口的に対象の循環系に送達するように構成されていることを特徴とする医薬組成物。
【請求項１６】
請求項１４に記載の医薬組成物において、少なくとも１つの希釈剤を含み、それによって希釈剤マトリックス内に油滴を形成することを特徴とする医薬組成物。
【請求項１７】
請求項１２に記載のカンナビノイド添加培地または請求項１４に記載の医薬組成物であって、痛み関連障害、炎症性の障害および症状、アパタイトの抑制または刺激、嘔吐および悪心の症状、腸およびボウルの障害、不安神経症に関連する障害および症状、精神病に関連する障害および症状、発作および／または痙攣に関連する障害および症状、睡眠障害および症状、免疫抑制による治療を必要とする障害および症状、血糖値の上昇に関連する障害および症状、神経系の悪化に関連する障害および症状、炎症性皮膚の障害および症状、動脈閉塞に関連する障害および症状、細菌感染に関連する障害および症状、真菌感染に関連する障害および症状、増殖性の障害および症状、外傷後の障害、および骨成長の抑制に関連する障害および症状から選択される状態の治療に使用するためのものであることを特徴とするカンナビノイド添加培地または医薬組成物。
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
式（Ｉ）の構造を有する化合物、あるいはその薬学的に許容可能な塩または溶媒和物であって、
【化１】
2020502047.tif 000001
式中、
Ｒ１は−Ｎ（Ｒ３）（Ｒ５）または−ＮＨ（Ｒ４）であり、
Ｒ２はそれぞれ独立して、ハロゲン、Ｃ１−６アルキル、−ＣＮ、Ｃ１−６ハロアルキル、および−ＯＲ６から独立して選択され、
Ｒ３は−ＣＨ２ＣＯ２Ｈ、−ＣＨ２ＣＨ２ＣＯ２Ｈ、または−ＣＨ（ＣＨ３）ＣＯ２Ｈであり、
Ｒ４は−（ＣＨ２）ｍ−ＣＯ２Ｈであり、
Ｒ５はＨまたはＣ１−３アルキルであり、
Ｒ６はそれぞれ独立して、Ｈ、Ｃ１−６アルキル、およびＣ１−６ハロアルキルから選択され、
ｎは０、１、２、３、または４であり、および、
ｍは３である、
化合物、あるいはその薬学的に許容可能な塩または溶媒和物。
【請求項２】
Ｒ１は−Ｎ（Ｒ３）（Ｒ５）である、請求項１に記載の化合物、あるいはその薬学的に許容可能な塩または溶媒和物。
【請求項３】
Ｒ５はＨである、請求項２に記載の化合物、あるいはその薬学的に許容可能な塩または溶媒和物。
【請求項４】
Ｒ５はＣ１−３アルキルである、請求項２に記載の化合物、あるいはその薬学的に許容可能な塩または溶媒和物。
【請求項５】
Ｒ１は−ＮＨ（Ｒ４）である、請求項１に記載の化合物、あるいはその薬学的に許容可能な塩または溶媒和物。
【請求項６】
Ｒ２はそれぞれ独立して、ハロゲン、Ｃ１−６アルキル、およびＣ１−６ハロアルキルから選択される、請求項１−５のいずれか１つに記載の化合物、あるいはその薬学的に許容可能な塩または溶媒和物。
【請求項７】
Ｒ２はハロゲンである、請求項６に記載の化合物、あるいはその薬学的に許容可能な塩または溶媒和物。
【請求項８】
Ｒ２は−Ｃｌである、請求項７に記載の化合物、あるいはその薬学的に許容可能な塩または溶媒和物。
【請求項９】
Ｒ２はＣ１−６ハロアルキルである、請求項６に記載の化合物、あるいはその薬学的に許容可能な塩または溶媒和物。
【請求項１０】
Ｒ２は−ＣＦ３である、請求項９に記載の化合物、あるいはその薬学的に許容可能な塩または溶媒和物。
【請求項１１】
ｎは１である、請求項１−１０のいずれか１つに記載の化合物、あるいはその薬学的に許容可能な塩または溶媒和物。
【請求項１２】
以下から選択される構造を有する化合物、あるいはその薬学的に許容可能な塩または溶媒和物。
【化２】
2020502047.tif 000002
【請求項１３】
前記化合物が、以下、あるいはその薬学的に許容可能な塩である、請求項１に記載の化合物。
【化３】
2020502047.tif 000003
【請求項１４】
前記化合物が、以下、あるいはその薬学的に許容可能な塩である、請求項１に記載の化合物。
【化４】
2020502047.tif 000004
【請求項１５】
前記化合物が、以下、あるいはその薬学的に許容可能な塩である、請求項１に記載の化合物。
【化５】
2020502047.tif 000005
【請求項１６】
請求項１−１５のいずれか１つに記載の化合物、あるいはその薬学的に許容可能な塩または溶媒和物、および少なくとも１つの薬学的に許容可能な賦形剤を含む、医薬組成物。
【請求項１７】
薬剤としての使用のための、請求項１−１５のいずれか１つに記載の化合物、あるいはその薬学的に許容可能な塩または溶媒和物。
【請求項１８】
疼痛の処置における使用のための、請求項１−１５のいずれか１つに記載の化合物、あるいはその薬学的に許容可能な塩または溶媒和物。
【請求項１９】
癲癇／発作障害、多発性硬化症、視神経脊髄炎（ＮＭＯ）、トゥーレット症候群、アルツハイマー病、および過敏性腸症候群に関連する腹痛症からなる群から選択される、疾患または障害の処置における使用のための、請求項１−１５のいずれか１つに記載の化合物、あるいはその薬学的に許容可能な塩または溶媒和物。
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
化粧料組成物であって、
（ａ）０．１〜５ｗｔ．％のリン酸アスコルビル、
（ｂ）０．５〜１５ｗｔ．％のナイアシンアミド、
（ｃ）０．５〜１ｗｔ．％のアラントイン、および
（ｄ）化粧料的に許容されるキャリア
を含む化粧料組成物。
【請求項２】
前記リン酸アスコルビルは、Ｌ−アスコルビル−２−モノリン酸三ナトリウム、リン酸Ｌ−アスコルビルマグネシウムおよびＬ−アスコルビル−２−モノリン酸ナトリウムマグネシウムならびにそれらの混合物からなる群から選択される、請求項１に記載の化粧料組成物。
【請求項３】
前記リン酸アスコルビルは、Ｌ−アスコルビル−２−モノリン酸三ナトリウムである、請求項１に記載の化粧料組成物。
【請求項４】
前記キャリアは、前記組成物の総重量に基づいて少なくとも４０ｗｔ．％の水からなる、請求項１〜３のいずれか一項に記載の化粧料組成物。
【請求項５】
リン酸アスコルビルの量およびナイアシンアミドの量は、アラントインの量の少なくとも１．５倍である、請求項１〜４のいずれか一項に記載の化粧料組成物。
【請求項６】
前記リン酸アスコルビルに対するナイアシンアミドの比率は、１：１〜２５：１の範囲で選択される、請求項１〜５のいずれか一項に記載の化粧料組成物。
【請求項７】
前記リン酸アスコルビルおよび前記ナイアシンアミドの総量は、前記組成物の総重量に基づいて少なくとも３ｗｔ．％である、請求項１〜６のいずれか一項に記載の化粧料組成物。
【請求項８】
少なくとも１種のポリアルキレングリコールエーテル乳化剤の存在下で水相に分散された油相を含むＯ／Ｗエマルションの形態である、請求項１〜７のいずれか一項に記載の化粧料組成物。
【請求項９】
クリアセラムである、請求項１〜８のいずれか一項に記載の化粧料組成物。
【請求項１０】
アラントインを水に可溶化するためのリン酸アスコルビルおよびナイアシンアミドの使用。
【請求項１１】
化粧料組成物中のアラントインの結晶化を抑制するためのリン酸アスコルビルおよびナイアシンアミドの使用。
【請求項１２】
前記リン酸アスコルビルの量およびナイアシンアミドの量は、アラントインの量の少なくとも１．５倍である、請求項１０または１１に記載の使用。
【請求項１３】
化粧料組成物の調製のための方法であって、
（ａ）可溶化されたアラントイン溶液を形成するために、０．５〜１ｗｔ．％のアラントインを０．１〜５ｗｔ．％のリン酸アスコルビルおよび０．５〜１５ｗｔ．％のナイアシンアミドの水溶液に可溶化するステップ、続いて、
（ｂ）前記可溶化されたアラントイン溶液を化粧料キャリアおよび任意選択的にさらなる成分と混合するステップ
を含む方法。
【請求項１４】
ステップ（ａ）の温度は、３０〜８５℃の範囲である、請求項１３に記載の方法。
【請求項１５】
ステップ（ａ）で調製された前記水溶液のｐＨは、少なくとも８．０である、請求項１３または１４に記載の方法。
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
下記の式（４）のカンファースルホン酸塩（ここで、ＰＧがヒドロキシル保護基、好ましくはアラルキル基、より好ましくはＣ６〜Ｃ１０アリール基によって置換されたＣ１〜Ｃ１０アルキル、さらにより好ましくはベンジルまたはｐ−メトキシベンジルである）。
【化１】
2020502077.tif 000001
【請求項２】
カンファースルホン酸が（Ｒ）−（−）−カンファースルホン酸である、請求項１に記載のカンファースルホン酸塩。
【請求項３】
前記カンファースルホン酸が（Ｓ）−（＋）−カンファースルホン酸である、請求項１に記載のカンファースルホン酸塩。
【請求項４】
前記式（４）の化合物と前記カンファースルホン酸とのモル比が１：１である、請求項１から３のいずれか一項に記載のカンファースルホン酸塩。
【請求項５】
前記ヒドロキシル保護基ＰＧがベンジルである、請求項１から４のいずれか一項に記載のカンファースルホン酸塩。
【請求項６】
結晶性固体である、請求項１から５のいずれか一項に記載のカンファースルホン酸塩。
【請求項７】
下記特性：
ａ）オンセット温度が１６３〜１６６℃の吸熱ピークを示すＤＳＣサーモグラム、および
ｂ）２９５５、１７４５、１７０２、１６１７、１５１３、１４７０、１３６９、１３２９、１２５０、１１６２、１０５１、１０３８、８５２、７４６、７００ｃｍ−１にバンドを示すＩＲスペクトル
の少なくとも１つにより特徴付けられる、請求項６に記載のカンファースルホン酸塩の結晶性固体。
【請求項８】
非結晶性固体である、請求項１から５のいずれか一項に記載のカンファースルホン酸塩。
【請求項９】
請求項１から８のいずれか一項に記載のカンファースルホン酸塩を調製する方法であって、
ａ）  式（４）の化合物（ここで、ＰＧは、請求項１または５において定義されるとおりである）を、一種の溶媒または二種以上の溶媒の混合物の存在下で、カンファースルホン酸によって処理する工程
【化２】
2020502077.tif 000002
および
ｂ）  工程ａ）で得られたカンファースルホン酸塩を単離する工程
を含んでなる方法。
【請求項１０】
オロダテロールまたはその薬学的な塩、好ましくはオロダテロール塩酸塩のＲ−鏡像異性体を製造する方法であって、
ａ）  請求項１から８のいずれか一項に記載される化合物（４）のカンファースルホン酸塩を用意する工程、
ｂ）  場合により、前記化合物（４）のカンファースルホン酸塩を塩酸により処理して、式（４）・ＨＸの化合物（ここで、ＨＸは塩酸である）を用意する工程、
【化３】
2020502077.tif 000003
ｃ）  工程ａ）またはｂ）の産物から、触媒および有機溶媒の存在下で、水素化によってヒドロキシル保護基ＰＧを除去し、オロダテロールまたはその薬学的な塩、好ましくはオロダテロール塩酸塩のＲ−鏡像異性体を用意する工程、および
ｄ）  場合により、工程ｃ）で得られたオロダテロールを、薬学的に許容される酸によって処理して、オロダテロールの薬学的に許容される塩、好ましくはオロダテロール塩酸塩のＲ鏡像異性体を用意する工程
を含んでなる方法。
【請求項１１】
工程ｂ）が実行され、さらに
ｂ１）請求項１から８のいずれか一項に記載の化合物（４）のカンファースルホン酸塩を、塩基および溶媒の存在下で遊離塩基に変換する工程、および
ｂ２）工程ｂ１）で得られた前記遊離塩基を塩酸によって処理することで、式（４）・ＨＸ（ここで、ＨＸは塩酸である）の化合物を用意する工程
を含んでなる、請求項１０に記載の方法。
【請求項１２】
工程ａ）の前記カンファースルホン酸塩が（Ｒ）−（−）−カンファースルホン酸塩である、請求項１０または１１に記載の方法。
【請求項１３】
前記化合物（４）のカンファースルホン酸塩が、
ａ）  式（３）のアミンまたはその塩と、式（２）のエポキシド（ここで、ＰＧは、請求項１または５に定義されるヒドロキシル保護基である）とを、有機溶媒の存在下で反応させて、
【化４】
2020502077.tif 000004
式（４）の化合物を用意する工程、
【化５】
2020502077.tif 000005
および
ｂ）  工程ａ）で得られた式（４）の化合物（ここで、ＰＧは、工程ａ）に定義されるヒドロキシル保護基である）を、一種の溶媒または二種以上の溶媒の混合物の存在下で、カンファースルホン酸によって処理する工程
を含んでなる方法によって得られることを特徴とする、請求項１０から１２のいずれか一項に記載の方法。
【請求項１４】
オロダテロールまたはその薬剤的に許容される塩、好ましくはオロダテロール塩酸塩のＲ鏡像異性体を調製するための、請求項１から８のいずれか一項に記載のカンファースルホン酸塩、または請求項９に記載の方法を通して得られるカンファースルホン酸塩の使用。
【請求項１５】
前記カンファースルホン酸塩が（Ｒ）−（−）−カンファースルホン酸塩である、請求項１４に記載の使用。
【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
加熱装置によって加熱される流動床中での流動化ガスによるシリコンシード粒子の流動化を含む流動床反応器中で多結晶シリコン粒状物を製造するための方法であって、熱分解による水素及びシラン及び／又はハロシランを含有する反応ガスの添加によって、元素状シリコンが前記シリコンシード粒子上に析出して多結晶シリコン粒状物を形成し、オフガスの処理のための再循環ガス系において、オフガスが前記流動床反応器から連続的に放出され、このオフガスから回収される水素が再循環ガスとして前記流動床反応器に送り返され、前記再循環ガス系の窒素含有量が１０００ｐｐｍｖ未満であることを特徴とする、方法。
【請求項２】
窒素含有量が、５００ｐｐｍｖ未満、好ましくは１００ｐｐｍｖ未満、特に好ましくは１０ｐｐｍｖ未満、特に０．５ｐｐｍｖ未満であることを特徴とする、請求項１に記載の方法。
【請求項３】
前記シリコンの析出が、１０００℃〜１３００℃、好ましくは１０８０℃〜１２５０℃、特に好ましくは１１００℃〜１２００℃の析出温度で行われることを特徴とする、請求項１又は２に記載の方法。
【請求項４】
処理中に、再循環ガスの窒素含有量が、測定機器、特にガスクロマトグラフによって決定されることを特徴とする、請求項１〜３のいずれか一項に記載の方法。
【請求項５】
０．０１〜１０００ｐｐｍｖの窒素閾値を超過したときに、流動床反応器の運転が停止されるか、又は再循環ガスの供給が妨げられるかのいずれかであり、及び、前記窒素閾値に達しなくなるまで外部水素で処理が操作されることを特徴とする、請求項１〜４のいずれか一項に記載の方法。
【請求項６】
０．０１〜１０００ｐｐｍｖの窒素閾値を超過すると、前記窒素閾値に達しなくなるまで流動床及び／又は反応器壁の温度を上昇させることを特徴とする、請求項１〜５のいずれか一項に記載の方法。
【請求項７】
再循環ガスが、９０％未満、好ましくは４０％、特に好ましくは１０％の外部水素と混合されることを特徴とする、請求項１〜６のいずれか一項に記載の方法。
【請求項８】
ハロシランが、クロロシラン、特にトリクロロシランであることを特徴とする、請求項１〜７のいずれか一項に記載の方法。
【請求項９】
処理の開始前に、水素での加圧とそれに続く減圧が流動床反応器の内部で行われ、加圧中の最大圧力が３．１〜１５ｂａｒの範囲、特に約６．５ｂａｒであり、減圧中の最小圧力が、１．１〜３ｂａｒの範囲、特に約１．４ｂａｒであることを特徴とする、請求項１〜８のいずれか一項に記載の方法。
【請求項１０】
加圧及び減圧の持続時間がそれぞれ１〜６０分であることを特徴とする、請求項９に記載の方法。
【請求項１１】
加圧が、１０〜７０００ｍ３／ｈＶＲ、好ましくは３００〜１５００ｍ３／ｈＶＲ、特に好ましくは５００〜１０００ｍ３／ｈＶＲ、特に約５２０ｍ３／ｈＶＲの反応器容積（ＶＲ）あたりの水素体積流量で行われることを特徴とする、請求項９又は１０に記載の方法。
【請求項１２】
Ｓｉ３Ｎ４含有量が１ｐｐｂａ未満である、多結晶シリコン粒状物。
【請求項１３】
表面粗さＲａ≧４００ｎｍ、好ましくはＲａ≧７００ｎｍを有する、請求項１２に記載の多結晶シリコン粒状物。
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
ＳＳＺ−４１の骨格構造を有する亜鉛アルミノケイ酸塩モレキュラーシーブを合成する方法であって：
（ａ）下記を含む反応混合物を調製すること：
（１）ＦＡＵ骨格型ゼオライト、コロイドアルミノケイ酸塩、又はこれらの混合物から選択される酸化アルミニウムと酸化ケイ素の組合せ供給源；
（２）亜鉛の供給源；
（３）第１族又は第２族金属（Ｍ）の供給源；
（４）１，１’−（１，４−ブタンジイル）ビス−４−アザ−１−アゾニアビシクロ［２．２．２］オクタンジカチオンを含む構造指向剤（Ｑ）；
（５）水酸化物イオン；及び
（６）水；及び
（ｂ）当該反応混合物を、モレキュラーシーブの結晶を形成するのに十分な結晶化条件に供すること、
を含み、
反応混合物が、モル比で下記の組成を有する、前記の方法。
【表１】
2020502023.tif 000001
【請求項２】
反応混合物が、意図的に添加される酸化ケイ素の別個の供給源を実質的に含まない、請求項１に記載の方法。
【請求項３】
反応混合物が、意図的に添加される酸化アルミニウムの別個の供給源を実質的に含まない、請求項１に記載の方法。
【請求項４】
反応混合物が、種を更に含む、請求項１に記載の方法。
【請求項５】
反応混合物が、０．０１重量ｐｐｍ〜１０，０００重量ｐｐｍの種を含む、請求項４に記載の方法。
【請求項６】
種が、ＳＳＺ−４１の骨格構造を有するモレキュラーシーブ材料を含む、請求項４に記載の方法。
【請求項７】
結晶化条件が、１２５℃〜２００℃の温度を含む、請求項１に記載の方法。
【手続補正２】
【補正対象書類名】明細書
【補正対象項目名】００６５
【補正方法】変更
【補正の内容】
【００６５】
結果は、最大異性化に到達する温度が、例６の触媒では、例５の触媒よりも低いということを、示す。これは、例６の触媒におけるアルミニウムのより高い組込みに起因すると考えられる。
本発明に関連して、以下の内容を更に開示する。
［１］
ＳＳＺ−４１の骨格構造を有する亜鉛アルミノケイ酸塩モレキュラーシーブを合成する方法であって：
（ａ）下記を含む反応混合物を調製すること：
（１）ＦＡＵ骨格型ゼオライト、コロイドアルミノケイ酸塩、又はこれらの混合物から選択される酸化アルミニウムと酸化ケイ素の組合せ供給源；
（２）亜鉛の供給源；
（３）第１族又は第２族金属（Ｍ）の供給源；
（４）１，１’−（１，４−ブタンジイル）ビス−４−アザ−１−アゾニアビシクロ［２．２．２］オクタンジカチオンを含む構造指向剤（Ｑ）；
（５）水酸化物イオン；及び
（６）水；及び
（ｂ）当該反応混合物を、モレキュラーシーブの結晶を形成するのに十分な結晶化条件に供すること、
を含む、前記の方法。
［２］
反応混合物が、モル比で下記の組成を有する、［１］に記載の方法：
【表１】
2020502023.tif 000002
［３］
反応混合物が、モル比で下記の組成を有する、［１］に記載の方法：
【表２】
2020502023.tif 000003
［４］
反応混合物が、意図的に添加される酸化ケイ素の別個の供給源を実質的に含まない、［１］に記載の方法。
［５］
反応混合物が、意図的に添加される酸化アルミニウムの別個の供給源を実質的に含まない、［１］に記載の方法。
［６］
反応混合物が、種を更に含む、［１］に記載の方法。
［７］
反応混合物が、０．０１重量ｐｐｍ〜１０，０００重量ｐｐｍの種を含む、［６］に記載の方法。
［８］
種が、ＳＳＺ−４１の骨格構造を有するモレキュラーシーブ材料を含む、［６］に記載の方法。
［９］
結晶化条件が、１２５℃〜２００℃の温度を含む、［１］に記載の方法。